(57)【特許請求の範囲】
【請求項１】
内部を外部の雰囲気から遮断する第一筐体（１）と、
その第一筐体（１）内部で粉体、粘体又は液状体が付着する物品を洗浄する洗浄領域（１１）と、
前記第一筐体（１）に隣接し、内部を外部の雰囲気から遮断するとともに内部に圧縮成形機構（３）を備えた第二筐体（２）と、
前記第一筐体（１）内部と第二筐体（２）内部が連通する連通部（４）と、
少なくとも前記洗浄領域（１１）で洗浄する物品を取り出すことができる、前記第一筐体（１）の底壁（１ａ）に開設され前記第一筐体（１）の内部と外部とを上下方向に連通させる縦搬出入口（１２）と、
前記縦搬出入口（１２）を開閉する第一蓋部材（１４ａ）、及び前記縦搬出入口（１２）に対して着脱自在でありその内空を前記第一筐体（１）の内部に向けて開放できる容器（１４ｂ）を要素とし、第一蓋部材（１４ａ）により前記縦搬出入口（１２）を閉鎖すると同時に、又は閉鎖する後に、容器（１４ｂ）を取り外すことができる搬出入装置（１４）と
を備え、
前記第一筐体（１）が、作業者の腕をグローブ（１５ａ）を介して挿入可能であり縦搬出入口（１２）に装着する搬出入装置（１４）の内腔に作業者の手を届かせられる位置に備えられる腕挿入部（１５）を有し、
前記第二筐体（２）が、内部に前記圧縮成形機構（３）を備えた打錠領域（２１）と、作業者の腕をグローブ（２５ａ）を介して前記打錠領域（２１）内に挿入可能にするための腕挿入部（２５）を有するアイソレータ。
【請求項２】
前記搬出入装置（１４）が、前記容器（１４ｂ）を前記縦搬出入口（１２）から取り外す前に前記容器（１４ｂ）を閉鎖できる第二蓋部材（１４ｃ）を備える請求項１記載のアイソレータ。
【請求項３】
前記容器（１４ｂ）の内部に搬出入できる、取っ手を備える上部が開口した内部ケース（５４）を備える請求項１又は２記載のアイソレータ。
【請求項４】
前記圧縮成形機構（３）により製造された成形品を前記縦搬出入口（１２）の近傍へと誘導する誘導手段（６）を備える請求項１、２又は３記載のアイソレータ。
【請求項５】
前記第一筐体（１）内部に前記洗浄領域（１１）で洗浄する物品を置く載置部（１６，２６）と、
前記第一筐体（１）の内部を減圧するための減圧機構（１７，２７）とを備える請求項１、２、３又は４記載のアイソレータ。
【請求項６】
前記第一筐体（１）内部の雰囲気と前記第二筐体（２）内部の雰囲気を前記連通部（４）で遮断できる遮断機構（７）をさらに備える請求項１、２、３、４又は５記載のアイソレータ。
【発明の詳細な説明】
【技術分野】
【０００１】
本発明は、外部の雰囲気から内部が遮断された筐体を有するアイソレータに関するものである。
【０００２】
従来、筐体の内部で人体に何らかの影響があるもの、例えば有害成分を含むものや薬理活性が非常に強い物質を含むものを取り扱うために、筐体内部が外部の雰囲気から完全に遮断されている態様をなすアイソレータが種々提案されている（例えば、特許文献１、特許文献２及び特許文献３参照）。
【０００３】
特許文献１では、回転式粉末圧縮成形機の回転盤が収納された成形室内部において、洗剤、ブラシ、スプレーガンなどの洗浄用品を使用して、手洗いする回転式粉末圧縮成形機の洗浄方法が開示されている。しかし、スプレーガンで一部の部品（金型など）を洗浄した場合、成形機内の他の部分が濡れたり、成形機内に湿気が溜まり粉体の流動性が悪くなるという問題がある。そのため、このような構成で部品を洗浄することは適切でない。
【０００４】
また、有害成分を含む粉体が使用された場合、洗浄した部品を取り出す方法も開示されておらず、洗浄した部品を取り出すためには、作業者が粉塵を吸い込まないように成形機内全体を濡らすウェットダウンをして、粉塵が舞わないようにしてから扉を開ける必要がある。そのため、成形機内全体をウェットダウンさせていない状態では部品等を取り出せないという問題もある。
【０００５】
特許文献２では、さらに部材通し部が開示されている。しかし、特許文献１と同様にプレス内部空間で部品の洗浄作業を行った場合、同様に成形機内のほかの部分が濡れたり、成形機内に湿気が溜まり粉体の流動性が悪くなるという問題がある。
【０００６】
また、特許文献１と異なり部材通し部が備えられている。しかし、グラブ（グローブ）を使用して部品の出し入れをする場合、部材通し部が側壁上にあるため、片手で作業しなければならないことが多く、部品の出し入れがし難いという問題がある。
【０００７】
また、部材通し部はＲＴＰ（ラピッド・トランスファー・ポート）のような構造ではないため、有害成分を含む粉体が付着した部品をウェットダウンしないで取り出すと、その粉体が成形機外に漏れてしまう。そのため、部材通し部を備えていても、成形機内全体をウェットダウンさせていない状態で部品等を取り出せないという問題もある。
【０００８】
特許文献３では、ＲＴＰが開示されている。ＲＴＰは、作業者が立った状態で作業できるよう側壁に設けられるのが一般的である。しかし、ＲＴＰのコンテナは、回転（垂直方向への回転）させて取り付け、取り外しを行うが、その際、コンテナの中の部品が、その回転により損傷するおそれがあるという問題がある。
【０００９】
そして、それを防止するには緩衝性を有する容器（内部ケース）に入れてからコンテナ内に入れることになり、必要以上に大きいＲＴＰを用いなければならず、スペース的にもコスト的にも問題がある。
【００１０】
また、コンテナはある程度深さのあるものを用いることがあるが、ＲＴＰが側壁に設けられると、コンテナの奥にまでグローブをはめた手が届き難いという問題もある。そのため、小さい部品を搬出入する場合コンテナの入口付近に置く必要があり、一回で複数の部品が搬出入できず、コンテナの深さが活用できないという問題もある。
【００１１】
そして、コンテナの深さを活用するため内部ケースを用いて一度に複数の部品を搬出入できるようにしても、コンテナを着脱する際に垂直方向に回転させることから、部品がこぼれ落ちないような内部ケースを用いなければならない。
【００１２】
また、ＲＴＰが側壁に設けられると、作業者は片手で作業しなければならないことが多いため、重い部品は出し入れし難いという問題がある。
【００１３】
また、金型などの部品に付着した有害成分を含む粉体等が暴露しないようにビニール袋に入れてからコンテナに出し入れすることがあるが、ＲＴＰの内周部には少なからず凹凸があり、そのビニール袋がその凹凸に引っかかって破れたり、部品がその凹凸により損傷するおそれがあるという問題もある。
【００１４】
また、ＲＴＰが側壁に設けられていると、粉体圧縮成形機で成形された成形品をコンテナ直接送り込むことができず、内部ケースに成形品を入れてからコンテナに入れなければならず作業性に問題がある。
【００１５】
そして、内部ケースを用いても作業者は片手でコンテナに内部ケースを入れなければならず、大量の成形品をコンテナ内に搬入できないという問題もある。
【００１６】
また、成形品がこぼれ落ちないような蓋等を有する内部ケースを用いる必要があり作業性に問題もある。
【００１７】
また、大量に成形品を取り出すためには、別途成形品を取り出すための装置を設けなければならず、スペース的にもコスト的にも問題がある。
【先行技術文献】
【特許文献】
【００１８】
【特許文献１】特開昭６３−２９９８９２号公報
【特許文献２】特開２００３−３１０７１３号公報
【特許文献３】特開２００５−２９６８８９号公報
【発明の概要】
【発明が解決しようとする課題】
【００１９】
本発明は、上述のような問題に着目したものであり、作業者が効率良く物品の搬出入作業を行なうことができ、かつ、筐体内から取り出した物品は洗浄する必要がなく、作業性が向上するアイソレータを提供することを目的とする。
【課題を解決するための手段】
【００２０】
本発明に係るアイソレータは、内部を外部の雰囲気から遮断する第一筐体と、その第一筐体内部で粉体、粘体又は液状体が付着する物品を洗浄する洗浄領域と、前記第一筐体に隣接し、内部を外部の雰囲気から遮断するとともに内部に圧縮成形機構を備えた第二筐体と、前記第一筐体内部と第二筐体内部が連通する連通部と、少なくとも前記洗浄領域で洗浄する物品を取り出すことができる、前記第一筐体の底壁に開設され前記第一筐体の内部と外部とを上下方向に連通させる縦搬出入口と、前記縦搬出入口を開閉する第一蓋部材、及び前記縦搬出入口に対して着脱自在でありその内空を前記第一筐体の内部に向けて開放できる容器を要素とし、第一蓋部材により前記縦搬出入口を閉鎖すると同時に、又は閉鎖する後に、容器を取り外すことができる搬出入装置とを備え、前記第一筐体が、作業者の腕をグローブを介して挿入可能であり縦搬出入口に装着する搬出入装置の内腔に作業者の手を届かせられる位置に備えられる腕挿入部を有し、前記第二筐体が、内部に前記圧縮成形機構を備えた打錠領域と、作業者の腕をグローブを介して前記打錠領域内に挿入可能にするための腕挿入部を有する。
【００２１】
ここで、「容器」とは、保形性を有する通常の容器とされるものに限定されることはなく、例えば可撓性を有する袋状のものをも含む概念である。
【００２２】
また、前記第一筐体が、作業者の腕をグローブを介して挿入可能であり縦搬出入口に装着する搬出入装置の内腔に作業者の手を届かせられる位置に備えられる腕挿入部を有するので、物品の搬出入を効率良く行なうことができる。ここでグローブとは、手袋状に指先が分かれた形状に限られず、単純な袋状である態様を妨げない。
さらに、前記第一筐体に隣接し、内部を外部の雰囲気から遮断するとともに内部に圧縮成形機構を備えた第二筐体と、前記第一筐体内部と第二筐体内部が連通する連通部とを備えているので、粉体圧縮成形機内の金型などの部品等を容易に第一筐体に移動でき、その部品等を洗浄でき作業性が向上する。また、洗浄領域と圧縮成形機構とを分けることにより、圧縮成形機構内の部品等が、部品の洗浄により濡れたり、湿気により粉体の流動性が悪くなるという問題が生じない。
【００２３】
また、粉体圧縮成形機の部品には、フィードシューなど片手で持ち上げるには重いものもある。しかし、縦搬出入口が下壁に備えられているため、洗浄領域で洗浄した部品等を両手を使用して容易に容器に挿入でき、搬出できる。
【００２４】
また、粉体圧縮成形機は、その第二筐体内部に上杵及び下杵の上下移動により臼孔内に供給される粉体を圧縮成形して成形品を製造する圧縮成形機構を備えるものが好ましい。
【００２５】
また、上記のアイソレータでは製造された成形品を効率良く外部へ搬出するために、前記圧縮成形機構により成形された成形品を前記縦搬出入口の近傍へと誘導する誘導手段を備えても良い。具体的には、圧縮成形機構により成形した成形品を前記容器内に直接送り込むことにより、成形品に触れることなく成形品を取り出せる。この際、取っ手を備える上面が開口したバケツタイプの内部ケースを用いることが好ましい。
【００２６】
また、上記のアイソレータでは、前記第一筐体内部の雰囲気と前記第二筐体内部の雰囲気を前記連通部で遮断できる遮断機構をさらに備えても良い。これにより、洗浄領域での湿気が粉体圧縮成形機の第二筐体内に及ぶことを遮断できる。また、作業者は、粉体圧縮成形機との雰囲気を遮断して作業することができ、安全に作業できる。連通部はどのような形状のものでもよく、例えば、筒状のものであってもよい。
【００２７】
なお、粉体とは、微小固体の集合体を言い、いわゆる顆粒や、粒体より小なる形状の粉末を含むものである。
【発明の効果】
【００２８】
本発明によれば、作業者が効率良く物品の搬出入作業を行なうことができ、かつ、筐体内から取り出した物品は洗浄する必要がなく、作業性が向上するアイソレータを提供できる。
【図面の簡単な説明】
【００２９】
【図１】本発明の一実施形態に係る正面図。
【図２】同実施形態に係る一部を破断した外観図。
【図３】同実施形態に係る内部を示す平面図。
【図４】同実施形態に係る要部を模式的に示した端面図。
【図５】図４に係る作用説明図。
【図６】同上。
【図７】同実施形態の第一変形例に係る平面図。
【図８】同実施形態の第二変形例に係る正面図。
【発明を実施するための形態】
【００３０】
以下、本発明の一実施の形態について図面を参照して説明する。
【００３１】
本実施形態に係るアイソレータとは、その一例として、コンテインメント化された粉体圧縮成形機として利用される。粉体圧縮成形機は、粉体を圧縮成形して医薬品の錠剤、食品、又は電子部品等を製造する機械である。その粉体の原料には、人体に何らかの影響を与える成分を含む場合、例えば有害成分を含む場合や薬理活性が非常に強い物質を含む場合がある。このような成分を含む粉体を圧縮成形する場合、粉体圧縮成形機はコンテインメント化し、作業者に影響がでないようにする必要がある。
【００３２】
そして本実施形態に係るアイソレータは、第二筐体２内に圧縮成形機構３を備えた粉体圧縮成形機に対し、さらに洗浄領域１１を備えた第一筐体１を連通部４を介して連通させたものである。具体的に本実施形態のアイソレータは、第一筐体１に隣接し、内部を外部の雰囲気から遮断する第二筐体２と、その第二筐体２内部に上杵及び下杵の上下移動により臼孔３４内に供給される粉体を圧縮成形して成形品を製造する圧縮成形機構３とを備える粉体圧縮成形機を備え、前記第一筐体１内部と第二筐体２内部が連通する連通部４を備える。
【００３３】
ここで、本実施形態に係るアイソレータは、内部を外部の雰囲気から遮断する第一筐体１と、その第一筐体１内部で粉体等が付着する物品を洗浄する洗浄領域１１と、少なくとも前記洗浄領域１１で洗浄する物品を取り出すことができる、前記第一筐体１の底壁１ａに開設され第一筐体１の内部と外部とを上下方向に連通させる縦搬出入口１２と、前記縦搬出入口１２を開閉する第一蓋部材１４ａ、及び前記縦搬出入口１２に対して着脱自在でありその内空を前記第一筐体１の内部に向けて開放できる容器１４ｂを要素とし、第一蓋部材１４ａにより前記縦搬出入口１２を閉鎖すると同時に、又は閉鎖する後に、容器１４ｂを取り外すことができる搬出入装置１４とを備える。本実施形態では、搬出入装置１４としてＲＴＰを用いる。
【００３４】
以下、各部の構成について詳述する。
【００３５】
第一筐体１は、複数本の脚支柱１８により床面から浮上した高さ位置に支持される。この第一筐体１は、内部に設けられた洗浄領域１１と、底壁１ａに設けられた縦搬出入口１２と、この縦搬出入口１２に着脱可能に構成される搬出入装置１４と、外部の雰囲気から遮断された状態を維持すべくグローブ１５ａを介した状態で洗浄領域１１内に腕を挿入し得る腕挿入部１５と、洗浄領域１１にて使用するための各種の備品を載置しておくための載置部１６と、連通部４を介して連通している第二筐体２及び第一筐体１の内部を減圧するための減圧機構１７とを有する。洗浄領域１１は、第一筐体１内部で粉体、粘体等が付着する物品を洗浄するためのスペースである。載置部１６では、洗浄する前の備品等を置いたり、洗浄した備品等を置いて乾燥させたりできる。縦搬出入口１２は、本実施形態では底壁１ａにおける正面視やや右側に設けられた開口に取り付けられたものであり、通常は第一蓋部材１４ａが取り付けられた状態である。この縦搬出入口１２はこの第一蓋部材１４ａが取り付けられた状態で係止するための蓋止め部１２ａと、容器１４ｂを係止しておくための容器止め部１２ｂとを有する。なお本実施形態では蓋止め部１２ａが第一蓋部材１４ａを係止する構成の図示を省略する。搬出入装置１４は、前記縦搬出入口１２を開閉する第一蓋部材１４ａ、及び前記縦搬出入口１２に対してフランジ１４ｂ１を介して着脱自在でありその内空を前記第一筐体１の内部に向けて開放できる容器１４ｂと、前記容器１４ｂを前記縦搬出入口１２から取り外す前に前記容器１４ｂを閉鎖できる第二蓋部材１４ｃと、第一蓋部材１４ａ及び第二蓋部材１４ｃを係合させる外向リブ１４ｄ１、内向リブ１４ｄ２からなる第一係合部１４ｄと、第二蓋部材１４ｃ及び容器１４ｂを係合させる外向リブ１４ｅ１、内向リブ１４ｅ２からなる第二係合部１４ｅとを有する。腕挿入部１５は、作業者の腕をグローブ１５ａを介して挿入可能であり、作業者が両腕を使った洗浄作業を行い易くするために、第一筐体１の側壁に左右２箇所に備えられる。特に図示右側の腕挿入部１５は、この作業者の手を前記縦搬出入口１２に装着する前記容器１４ｂの内空に届かせられる位置に備えられる。具体的には前記縦搬出入口１２の上方の領域に近接させて右側の腕挿入部１５が備えられる。載置部１６は、第一筐体１内部に洗浄領域１１で洗浄する物品や備品を置くことができる、底壁１ａ上に形成された水平面である。そして減圧機構１７は、洗浄領域１１のみならず、打錠領域２１をも減圧できる。これにより第一筐体１又は第二筐体２の外部に粉塵が漏れることを防止でき、また、洗浄した備品５や工具５５等の物品の乾燥を促す作用をも奏する。具体的には、減圧機構１７には、第一筐体１に配管系統を介して接続され内部を減圧するための真空装置１７ａと、この配管系統に取り付けられ、第一筐体１側の配管内雰囲気と真空装置１１側の配管内雰囲気とを遮断するための雰囲気遮断弁１７ｂとが備えられる。真空装置１７ａ側の配管には、排気に含まれる粉体を取り除くための図示しない集塵装置が備えられていても良い。雰囲気遮断弁１７ｂは、例えば電磁装置により作動し、第一筐体１側の雰囲気を真空装置１７ａ側の雰囲気から切り離す。
【００３６】
第二筐体２は、内部に圧縮成形機構３を配した打錠領域２１と、側面側の側壁２ｂに備えられた横搬出入口２３と、この横搬出入口２３に着脱可能に構成される横搬出入装置２４と、正面側に面した側壁に計４箇所に亘って備えられた腕挿入部２５と、連通部４を介して連通している第二筐体２及び第一筐体１の内部を減圧するための減圧機構２７とを備える。打錠領域２１は、主に圧縮成形機構３を取り扱うための領域であり、連通部４を介して洗浄領域１１に連通しているので、圧縮成形機構３を構成する各種部品等を取り外し、洗浄領域１１にて適宜洗浄できる。横搬出入口２３は、本実施形態では側壁に１箇所備えられたものであり、その構造や形状は上述した縦搬出入口１２を同様である。横搬出入装置２４は、上記の搬出入装置１４と同様の構成をなしたもので、図１にて図示されている容器２４ｂの他図示しないが、同様の第一蓋部材、第二蓋部材、第一係合部、第二係合部を有するものであるが、具体的な説明は省略する。腕挿入部２５は、第一筐体１に設けられた腕挿入部１５と同様の構成をなす。この腕挿入部２５はグローブ２５ａを介して打錠領域２１内に作業者が腕を挿入し、圧縮成形機構３のメンテナンス等を行い易いよう、上下左右に２箇所ずつ、計４箇所に備えられている。そして減圧機構２７は、第一筐体１側の減圧機構１７同様の構成をなすものであり、上記真空装置１７ａ及び雰囲気遮断弁１７ｂと同じ構成をなす真空装置２７ａ及び雰囲気遮断弁２７ｂを備える。当該減圧機構２７も減圧機構１７同様、打錠領域２１のみならず、洗浄領域１１をも減圧できる。これにより第一筐体１又は第二筐体２の外部に粉塵が漏れることを防止でき、また、洗浄した備品５や工具５５等の物品の乾燥を促す作用をも奏する。
【００３７】
圧縮成形機構３は、図１、図２にその一部を図３に平面を模式的に示すように、粉体を圧縮するための既知のものであり、回転盤３１の盤面に備えられた臼孔３４内に充填された粉体を上杵及び下杵により圧縮成形するものである。圧縮成形機構３を用いた粉体圧縮成形機の実施例は以下の通りである。
第二筐体２の上部に位置するホッパー３５から供給された粉体が、フィードシュー３６により回転盤３１の臼孔３４内に充填される。そして、予圧ロール３７及び本圧ロール３８により上杵及び下杵が押圧され、臼孔３４内の粉体を圧縮成形する。圧縮成形された成形品は、下杵により盤面上に押し上げられ、取出ダンパー３９により成形品回収部３３に取り出される。
【００３８】
本実施形態では、粉体等（特に有害物質を含むもの）を洗浄するための洗浄領域１１には、当該粉体等が付着した備品５や工具５５等を洗浄するための水や洗浄液を溜めるシンク５２と、そこで洗浄された備品５や工具５５等を乾燥させるために置く載置部１６である棚５１とが備えられている。他方図３に示すように打錠領域２１には、厚み計、硬度計、電子天秤などの分析機器等（図示しない）を一時的に置くための載置部２６である棚５６を備えているが、これらは第一筐体１、第二筐体２内の任意の位置に配置し得る。なお、シンク５２は蓋を備えるものであってもよい。これにより湿度の上昇を防止できる。また、図３の載置部１６は、図２の載置部１６の位置とは異なる位置に備えられているが、同じ洗浄領域１１に備えられている。
【００３９】
内部ケースであるバケツ５４は、例えば杵を複数本、縦向けに挿入できるような構成にできる。これにより杵を複数本まとめて底壁１ａに備えられたＲＴＰで搬出入できる。ＲＴＰが側壁１ｂでなく、底壁１ａに備えられていることにより、上面が開口した内部ケース（バケツ５４）であっても損傷なく搬出入できる。その他、バケツ５４を用いることにより、第一筐体１内、第二筐体２内で部品等の移動が容易となる。
【００４０】
しかして本実施形態では図４〜図６に示すように、縦搬出入口１２及び搬出入装置１４による物品の搬出入を、容器１４ｂの内部空間以外では外部の雰囲気から遮断し得るよう、搬出入装置１４を以下のように扱うことにより、容器１４ｂ内の物品を搬入する。
【００４１】
図４は、容器１４ｂが装着されていない状態を示す。このとき縦搬出入口１２は蓋止め部１２ａによって第一蓋部材１４ａに係合する。他方第二蓋部材１４ｃは第二係合部１４ｅにおける外向リブ１４ｅ１・内向リブ１４ｅ２の凹凸係合等により容器１４ｂに係合することにより、容器１４ｂ内の雰囲気は外部の雰囲気から遮断される。同図の状態から、容器１４ｂに設けたフランジ１４ｂ１が縦搬出入口１２に設けた容器止め部１２ｂに干渉しない向きとして、容器１４ｂを縦搬出入口１２へ向けて挿入する。
【００４２】
図５は、容器１４ｂを縦搬出入口１２へ向けて挿入後、容器１４ｂをほぼ水平方向に回転させ容器１４ｂ内の雰囲気が外部の雰囲気から遮断され、気密を確保した状態を示す。具体的には、第二蓋部材１４ｃで蓋がされている容器１４ｂを縦搬出入口１２に押さえつけ、ほぼ水平方向に回転させる。回転により容器１４ｂのフランジ１４ｂ１は、縦搬出入口１２の容器止め部１２ｂと係合する。また、第二蓋部材１４ｃの内向リブ１４ｄ２は、第一蓋部材１４ａの外向リブ１４ｄ１と係合し、第一蓋部材１４ａと第二蓋部材１４ｃとが一体となる。そして第一蓋部材１４ａと第二蓋部材１４は一体として開閉できる。容器１４ｂを縦搬出入口１２から取り外すには、一体となった第一蓋部材１４ａと第二蓋部材１４ｃにより蓋をしてから、上記と逆の作業をすることで、第二蓋部材１４ｃと共に取り外せる。なお、第一蓋部材１４ａと第二蓋部材１４ｃは、一部が固定されて開閉できるフラップタイプでもよい。
【００４３】
図６は、縦搬出入口１２から一体となった第一蓋部材１４ａと第二蓋部材１４ｃとを外した状態を示す。上述の通り図１〜図３において右側の腕挿入部１５が縦搬出入口１２近傍に設けられているので、作業者はグローブ１５ａを介して容器１４ｂの底部分まで容易にアクセスし得る。
【００４４】
また本実施形態では図６に示すように、第一筐体１及び第二筐体２にそれぞれ横方向に複数腕挿入部１５、２５を備える。図示しないがこれら各腕挿入部１５、２５にはそれぞれグローブ１５ａ、２５ａが備えられている。
【００４５】
第一筐体１による外部の雰囲気から遮断する性能を有効に担保するために本実施形態では、前記搬出入装置１４が、前記容器１４ｂを前記縦搬出入口１２から取り外す前に前記容器１４ｂを閉鎖できる第二蓋部材１４ｃを備える。
【００４６】
物品の搬出入を効率良く行なうための具体的な構成として本実施形態では、前記第一筐体１の側壁に設けられ、作業者の腕をグローブ１５ａを介して挿入可能であり、この作業者の手を前記縦搬出入口１２に装着する前記容器１４ｂの内空に届かせることができる位置に、前記グローブ１５ａを有する腕挿入部１５を備える。
【００４７】
さらに物品の洗浄をより効率良く且つ確実に行なうために本実施形態では、前記第一筐体１内部に前記洗浄領域１１で洗浄する物品を置く載置部１６、２６と、前記第一筐体１の内部を減圧するための減圧機構１７、２７とを備える。これにより、洗浄領域１１で洗浄した備品５や工具５５等の金型を載置部１６、２６に載置した状態で減圧乾燥できる。その結果、備品５等の迅速且つ確実な乾燥を実現できる。
【００４８】
上述したように本実施形態のアイソレータは第一筐体１と粉体圧縮成形機の第二筐体２とを連通させているので、粉体圧縮成形機の備品５等の物品の洗浄や縦搬出入口１２を介した搬出入を好適に行える。
【００４９】
＜第一変形例＞
以下に、本実施形態の各変形例について説明する。本変形例について、上記実施形態の構成要素に相当するものについては同じ符号を付すとともに、その詳細な説明を省略する。
【００５０】
すなわち本変形例に係るアイソレータは、図７に示すように、圧縮成形機構３により製造された成形品を効率良く外部へ搬出するために、成形品を前記縦搬出入口１２の近傍へと誘導する誘導手段を備える。誘導手段は具体的には、圧縮成形機構３の成形品排出部３３から縦搬出入口１２に向けて装着された傾斜した樋である。これにより、成形品排出部３３から排出された成形品は、縦搬出入口１２に取り付けられた容器１４ｂ、具体的には容器１４ｂ内に配された成形品入れに落下する。これにより、成形品の外部への速やかな搬出が可能となる。容器１４ｂへ成形品を直接落下させてもよい。
【００５１】
＜第二変形例＞
また上記実施形態に係るアイソレータは常に第一筐体１と第二筐体２とが連通部４を介して連通していたが、図８に示すように、例えば圧縮成形機構３の稼働中は第一筐体１を分離しておけるような態様としてもよい。
【００５２】
すなわち本変形例に係るアイソレータは、第一筐体１内部の雰囲気と前記第二筐体２内部の雰囲気を前記連通部４で遮断できる遮断機構７をさらに備えるものでもよい。遮断機構７としては、例えば気密性を確保するシャッター、ＲＴＰなどが挙げられる。
【００５３】
このようなものであれば、第一筐体１を、物品の洗浄が必要なときにのみ第二筐体２に連通させることができ、また安全性が向上する。また、本発明のアイソレータは第一筐体１及び第二筐体２が必ずしも１：１で対応するものに限られない。いずれか一方が複数有ってもよい。
【００５４】
以上、本発明の実施形態について説明したが、各部の具体的な構成は、上述した実施形態のみに限定されるものではなく、本発明の趣旨を逸脱しない範囲で種々変形が可能である。
【００５５】
例えば、上記実施形態では第一筐体の内部を減圧する減圧機構を第二筐体に配置する態様としていたが、減圧機構は第一筐体側に設けたり第一筐体、第二筐体両方に設けたりしても良い。また上記実施形態ではいわゆる粉体圧縮成形機に本発明を適用した態様を開示したが、外部の雰囲気を遮断する必要な種々の装置に本発明は適用できる。また減圧機構や粉体圧縮成形機の具体的な態様は上記実施形態のものに限定されることはなく、既存のものを含め、種々の態様のものを適用できる。
【００５６】
その他、各部の具体的構成についても上記実施形態に限られるものではなく、本発明の趣旨を逸脱しない範囲で種々変形が可能である。
【符号の説明】
【００５７】
１…第一筐体
１ａ…第一筐体の底壁（底壁）
１ｂ…第一筐体の側壁（側壁）
２…第二筐体
３…圧縮成形機構
４…連通部
６…誘導手段
７…遮断機構
１１…洗浄領域
１２…縦搬出入口
１４…搬出入装置
１４ａ…第一蓋部材
１４ｂ…容器
１４ｃ…第二蓋部材
１５…腕挿入部
１５ａ…グローブ
１６…載置部
１７、２７…減圧機構
【図１】
0005922412.tif 000002
【図２】
0005922412.tif 000003
【図３】
0005922412.tif 000004
【図４】
0005922412.tif 000005
【図５】
0005922412.tif 000006
【図６】
0005922412.tif 000007
【図７】
0005922412.tif 000008
【図８】
0005922412.tif 000009